(57)【要約】      （修正有）【課題】定規の板体に歪等が生じ難く、両側縁の全長を対象物に確実に押し当てることができ、また、裁断作業の準備状態において刃折カッターナイフの刃先を容易に折ることができるカット定規を提供する。【解決手段】一定幅を有して軸心方向に延びる板体１からなり、対象物に対向する下面３が板幅方向の全幅にわたる凹状湾曲面をなし、板幅方向の両端の側縁が板長さ方向の全長にわたって対象物に当接し、側縁がカッターガイド２をなす。板体が板長さ方向の全長にわたって下面と相反する上面４側に向けて凸状に湾曲することが好ましい。また上面に、刃先を押しつけて折ることができる刃折当金部５を有する。【選択図】図１
0003211085.tif 000002
【実用新案登録請求の範囲】
【請求項１】
一定幅を有して軸心方向に延びる板体からなり、対象物に対向する下面が板幅方向の全幅にわたる凹状湾曲面をなし、板幅方向の両端の側縁が板長さ方向の全長にわたって対象物に当接し、前記側縁がカッターガイドをなすことを特徴とするカット定規。
【請求項２】
板体の下面と相反する上面が板幅方向の全幅にわたる凹状湾曲面をなすことを特徴とする請求項１に記載のカット定規。
【請求項３】
板体が板長さ方向の全長にわたって下面と相反する上面側に向けて凸状に湾曲することを特徴とする請求項１に記載のカット定規。
【請求項４】
板体の上面が板幅方向の全幅にわたる凸状湾曲面をなすことを特徴とする請求項３に記載のカット定規。
【請求項５】
板体の下面と相反する上面が平坦面をなし、前記上面に刃折当金部を有することを特徴とする請求項１に記載のカット定規。
【請求項６】
板体の下面に軸心方向に延びる溝部を有することを特徴とする請求項１から５の何れか１項に記載のカット定規。
【考案の詳細な説明】
【技術分野】
【０００１】
本考案は、壁紙や壁布などを裁断する時に当てがうカット定規に関する。
【背景技術】
【０００２】
従来、例えば特許文献１には、裁断用定規が開示されている。これは、片手で容易に移動可能な適当長さおよび適当幅を有する長尺の板体であり、その長手方向に沿った側面に摺接してカッターナイフが移動するものである。板体は、適当な弾性を有する弾性材からなり、長手方向および幅方向における中央線近傍が頂部をなすよう湾曲しており、上面が凸面をなし、下面が凹面をなす。そして、上面から下面に向けて押圧したときに、下面の板幅方向の両端の側縁が全長にわたり裁断対象物に圧接する。
【特許文献１】特開平８−２１５４４６
【考案の開示】
【考案が解決しようとする課題】
【０００３】
しかし、特許文献１の裁断用定規では、経年変化により、あるいは製造過程において歪み等が生じる問題があった。
【０００４】
この裁断用定規を壁紙等の裁断対象物に押し当て、その側縁をカッターガイドとして使用する場合に、歪が生じた定規は側縁において裁断対象物の壁紙を十分に押圧することができず、裁断対象物から浮き上がった側縁はカッターナイフの刃先を正確にガイドすることができない。
【０００５】
また、この定規を使用して壁紙等の対象物を切断するカッターナイフには、刃を折って刃先を更新する形式のもの、ここでは刃折カッターナイフと称するものがある。
【０００６】
この刃折カッターナイフは、上述したように、刃先の切れが悪くなると刃を折って刃先を更新している。しかし、一方の手で裁断用定規を壁紙に押し当て、他方の手に刃折カッターナイフを握った状態では、器具を使って刃折カッターナイフの刃を折って刃先を更新する作業を行うことはできない。このため、一旦壁紙の裁断作業を中断し、刃先を更新する刃折作業を行う必要がある。
【０００７】
本考案は、定規の板体に歪等が生じ難く、両側縁の全長を対象物に確実に押し当てることができ、また、裁断作業の準備状態において刃折カッターナイフの刃先を容易に折ることができるカット定規を提供することを目的とする。
【課題を解決するための手段】
【０００８】
上記課題を解決するために、本考案のカット定規は、一定幅を有して軸心方向に延びる板体からなり、対象物に対向する下面が板幅方向の全幅にわたる凹状湾曲面をなし、板幅方向の両端の側縁が板長さ方向の全長にわたって対象物に当接し、前記側縁がカッターガイドをなすことを特徴とする。
【０００９】
本考案のカット定規において、板体の下面と相反する上面が板幅方向の全幅にわたる凹状湾曲面をなすことを特徴とする。
【００１０】
本考案のカット定規において、板体が板長さ方向の全長にわたって下面と相反する上面側に凸状に湾曲することを特徴とする。
【００１１】
本考案のカット定規において、板体の上面が板幅方向の全幅にわたる凸状湾曲面をなすことを特徴とする。
【００１２】
本考案のカット定規において、板体の下面と相反する上面が平坦面をなし、前記上面に刃折当金部を有することを特徴とする。
【００１３】
本考案のカット定規において、板体の下面に軸心方向に延びる溝部を有することを特徴とする。
【考案の効果】
【００１４】
以上の本考案によれば、カット定規は、下面が湾曲面をなすことで、板体を対象物上に押し当てた裁断準備状態において、板体は真直な姿勢を維持しつつ、板体の板幅方向の両端の側縁においてのみ対象物に圧接し、側縁で対象物を押圧することで裁断時に対象物がずれることを防止する。そして、カット定規の側縁は、板長さ方向の全長にわたって対象物から浮き上がることなく、刃折カッターナイフの刃先を確実に直線状にガイドする。
【００１５】
また、一方の手でカット定規を対象物に押し当てる裁断準備状態において、他方の手に持った刃折カッターナイフの刃先をカット定規の上面に設けた刃折当金部に押し付けることで、刃折カッターナイフの刃先を折って刃先の更新を容易に行うことができる。
【００１６】
また、板体の下面に溝部を有することで、下面の表面積が増加し、上面に比べて下面が乾燥し易くなり、乾燥時に縮む割合が多くなる。この結果、乾燥に起因して板体が湾曲する場合に、板体は板長さ方向において湾曲し、上面側に凸状に湾曲するように誘導される。この場合には、板体を上面側から押圧して対象物上に押し当てることで、裁断準備状態においてカット定規の両側縁が正常状態で、すなわち真直な姿勢で対象物に圧接する。
【図面の簡単な説明】
【００１７】
【図１】本考案の実施の形態におけるカット定規を示す上面側から見た斜視図
【図２】同実施の形態におけるカット定規を示す下面側から見た斜視図
【図３】同実施の形態におけるカット定規の使用状態を示す側面図
【図４】本考案の他の実施の形態におけるカット定規を示す上面側から見た斜視図
【図５】本考案のさらに他の実施の形態におけるカット定規を示す上面側から見た斜視図
【図６】同実施の形態におけるカット定規の使用状態を示す側面図
【考案を実施するための最良の形態】
【００１８】
以下、本考案の実施の形態を図面に基づいて説明する。
実施例１
（構造）
図１から図３に示すように、カット定規の本体をなす板体１は木質材、あるいは樹脂材などからなり、弾性を有している。板体１は、板幅方向に一定幅、例えば４ｃｍから７ｃｍを有し、軸心方向に真直に延びており、板長さ方向に一定長、例えば２０ｃｍから１００ｃｍを有している。
【００１９】
カット定規は、板幅方向において板体１の両端の側縁に、カッターガイド２として樹脂材を有しており、カッターガイド２がカット定規の側縁をなす。
【００２０】
カッターガイド２は裁断作業に使用する刃折カッターの刃先を円滑にガイドする機能を果たすとともに、刃先から板体１を保護する機能を担っている。
【００２１】
板体１は壁紙、壁布等の対象物Ｗに対向する下面３が板幅方向の全幅にわたる凹状湾曲面をなしている。また、板体１の下面３と相反する上面４が平坦面をなしており、上面４には刃折当金部５を有している。さらに、板体１は下面３に軸心方向に延びる複数条の溝部６を有している。溝部６の数は一つでも良く、溝部６の断面形状は限定されず、如何なる断面形状も採用できる。
【００２２】
板体１は板長さ方向の一方の端縁が板幅方向に対して傾斜し、この端縁と一方のカッターガイド２とで鋭角の角部７を形成している。
（機能）
このカット定規によれば、板体１を対象物Ｗの上に配置し、一方の手で板体１を下面３と相反する上面４の側から押圧して対象物Ｗの上に押し当てた裁断準備状態において、板体１は真直な姿勢を維持しつつ、板体１の板幅方向の両端の側縁に配置したカッターガイド２においてのみ対象物に圧接する。
【００２３】
このように、カット定規の側縁をなすカッターガイド２で対象物Ｗを押圧することで裁断時に対象物がずれることを防止する。そして、カット定規のカッターガイド２は、板長さ方向の全長にわたって対象物Ｗから浮き上がることなく、刃折カッターナイフ８の刃先を確実に直線状にガイドする。
【００２４】
図３に示すように、一方の手でカット定規を対象物Ｗに押し当てる裁断準備状態において、他方の手に持った刃折カッターナイフ８の刃先をカット定規の上面に設けた刃折当金部５に押し付けることで、刃折カッターナイフ８の刃先を折って刃先の更新を容易に行うことができる。
【００２５】
また、板体１の下面３に溝部６を有することで、下面３の表面積が増加し、上面４に比べて下面３が乾燥し易くなり、乾燥時に縮む割合が多くなる。この結果、乾燥に起因して板体１が湾曲する場合には、板体１が板長さ方向において湾曲し、上面４の側に凸状に湾曲するように誘導される。
【００２６】
この湾曲したカット定規は、板体１を上面側から押圧して対象物Ｗの上に押し当てることで、裁断準備状態においてカット定規の両側縁をなすカッターガイド２が正常状態で、すなわち真直な姿勢で対象物Ｗに圧接する。
【００２７】
また、板体１の角部７で対象物Ｗを天井面と壁面との境に押し込むことで、対象物Ｗを張り付ける壁面、天井面の隅においても対象物Ｗを確実に押圧することができる。
実施例２
図４は本考案の他の実施の形態を示すものである。図４において、先の実施例と同様の構成要素には同符号を付してその説明を省略する。
【００２８】
このカット定規は、板体１が軸心方向に真直に延び、壁紙、壁布等の対象物Ｗに対向する板体１の下面３が板幅方向の全幅にわたる凹状湾曲面をなし、板体１の下面３と相反する上面４が板幅方向の全幅にわたる凹状湾曲面をなす。
【００２９】
この構成により、カット定規は板体１の表裏両面を使用することができる。すなわち、板体１の下面３を対象物Ｗに向けて使用しても良く、上面４を対象物Ｗに向けて使用しても良く、何れの場合もカット定規の側縁をなすカッターガイド２で対象物Ｗを押圧して、裁断時に対象物Ｗがずれることを防止しつつ、刃折カッターナイフ８の刃先を確実に直線状にガイドする。他の作用効果は先の実施例１と同様である。
実施例３
図５、図６は本考案の他の実施の形態を示すものである。図５、図６において、先の実施例と同様の構成要素には同符号を付してその説明を省略する。
【００３０】
このカット定規は、壁紙、壁布等の対象物Ｗに対向する板体１の下面３が板幅方向の全幅にわたる凹状湾曲面をなし、板体１の下面３と相反する上面４が板幅方向の全幅にわたる凸状湾曲面をなす。さらに、板体１は軸心方向において湾曲する。すなわち、板体１は板長さ方向の全長にわたって下面と相反する上面側に凸状に湾曲する。
【００３１】
この構成により、カット定規は、板体１を上面側から押圧して対象物Ｗの上に押し当てることで、裁断準備状態においてカット定規の両側縁をなすカッターガイド２が正常状態で、すなわち真直な姿勢で対象物Ｗに圧接する。
【００３２】
そして、カット定規の側縁をなすカッターガイド２で対象物Ｗを押圧して、裁断時に対象物Ｗがずれることを防止しつつ、刃折カッターナイフ８の刃先を確実に直線状にガイドする。他の作用効果は先の実施例１と同様である。
【符号の説明】
【００３３】
１    板体
２    カッターガイド
３    下面
４    上面
５    刃折当金部
６    溝部
７    角部
８    刃折カッターナイフ
Ｗ    対象物
【図１】
0003211085.tif 000003
【図２】
0003211085.tif 000004
【図３】
0003211085.tif 000005
【図４】
0003211085.tif 000006
【図５】
0003211085.tif 000007
【図６】
0003211085.tif 000008